(57)【要約】      （修正有）【課題】安価で、コンパクトに収容できる仕切り部材及びこれを備えた仕切り板付き回収容器を提供する。【解決手段】仕切り部材１は、それぞれに垂直方向ｚ上側から伸びる複数の第１スリットが形成された複数の第１仕切り板２０と、それぞれに垂直方向ｚ下側から伸びる複数の第２スリットが形成された複数の第２仕切り板４０と、を備える。それぞれが、複数の第１仕切り板２０のうち隣接する２つの第１仕切り板２０と、複数の第２仕切り板４０のうち隣接する２つの第２仕切り板４０とで形成する四角形状の複数の案内孔５０が形成されるように、各第１スリットと各第２スリットとが互い嵌め込まれている。【選択図】図１
0003209052.tif 000002
【実用新案登録請求の範囲】
【請求項１】
重ね合わせが可能な使用済みのコップを回収する、開口部と底部とを有する回収容器に備えられる仕切り部材であって、
それぞれに垂直方向上側から伸びる複数の第１スリットが形成された複数の第１仕切り板と、
それぞれに垂直方向下側から伸びる複数の第２スリットが形成された複数の第２仕切り板と、を備え、
それぞれが、前記複数の第１仕切り板のうち隣接する２つの第１仕切り板と、前記複数の第２仕切り板のうち隣接する２つの第２仕切り板とで四角形状の複数の案内孔が形成されるように、各第１スリットと各第２スリットとが互い嵌め込まれている、仕切り部材。
【請求項２】
各第１スリットと各第２スリットとが互い嵌め込まれている部分は、垂直方向を軸とするヒンジ部として機能する、請求項１に記載の仕切り部材。
【請求項３】
各案内孔の両端部の一方は、前記回収容器の前記開口部に開口し、他方は、前記回収容器の前記底部の近傍に開口し、
前記案内孔は、前記コップを投入可能な大きさを有する、請求項１又は２に記載の仕切り部材。
【請求項４】
更に、前記回収容器の前記開口部に嵌め込まれる蓋部を備え、
前記蓋部は、前記複数の案内孔の前記一方の端部に繋がる開口部を有する、請求項１から３のいずれかに記載の仕切り部材。
【請求項５】
前記仕切り部材は、段ボール板で形成されている、請求項１から４のいずれかに記載の仕切り部材。
【請求項６】
請求項１から５のいずれかに記載の仕切り部材と、
重ね合わせが可能な使用済みのコップを回収する、開口部と底部とを有する回収容器と、を備えた、仕切り板付き回収容器。
【考案の詳細な説明】
【技術分野】
【０００１】
本考案は、仕切り部材及びこれを備えた仕切り板付き回収容器に関する。
【背景技術】
【０００２】
飲料を提供し終えたコップは、ゴミ箱のような回収容器に投入することにより回収される。このとき、コップは無造作に回収容器に投入されるので、回収容器の容量に対して収容できるコップの収容率が低いという課題がある。
【０００３】
そこで、重ね合わせが可能な使用済みのコップを回収する、収容率が高い回収容器として、特許文献１に記載の技術が知られている。
【先行技術文献】
【特許文献】
【０００４】
【特許文献１】特開平５−３１０３０３号公報
【考案の概要】
【考案が解決しようとする課題】
【０００５】
しかし、特許文献１に記載の回収容器では、複数のガイド筒を蓋に接続させなければいけないので、回収容器の製造コストが高いという課題がある。特に、回収容器を段ボールで安価で製作することが難しいという課題がある。
【０００６】
また、ガイド筒は、円筒形状を有するので、回収容器を用いないときも嵩張るという課題がある。
【０００７】
そこで、本考案の課題は、安価で、コンパクトに収容できる仕切り部材及びこれを備えた仕切り板付き回収容器を提供することにある。
【課題を解決するための手段】
【０００８】
考案者は、鋭意研究を行った結果、以下の考案にいたった。
本考案に係る仕切り部材は、重ね合わせが可能な使用済みのコップを回収する、開口部と底部とを有する回収容器に備えられる仕切り部材であって、それぞれに垂直方向上側から伸びる複数の第１スリットが形成された複数の第１仕切り板と、それぞれに垂直方向下側から伸びる複数の第２スリットが形成された複数の第２仕切り板と、を備え、それぞれが、前記複数の第１仕切り板のうち隣接する２つの第１仕切り板と、前記複数の第２仕切り板のうち隣接する２つの第２仕切り板とで四角形状の複数の案内孔が形成されるように、各第１スリットと各第２スリットとが互い嵌め込まれていることを特徴とする。
【０００９】
本考案に係る仕切り部材において、各第１スリットと各第２スリットとが互い嵌め込まれている部分は、垂直方向を軸とするヒンジ部として機能することを特徴とする。
【００１０】
本考案に係る仕切り部材において、各案内孔の両端部の一方は、前記回収容器の前記開口部に開口し、他方は、前記回収容器の前記底部の近傍に開口し、前記案内孔は、前記コップを投入可能な大きさを有することを特徴とする。
【００１１】
本考案に係る仕切り部材において、更に、前記回収容器の前記開口部に嵌め込まれる蓋部を備え、前記蓋部は、前記複数の案内孔の前記一方の端部に繋がる開口部を有することを特徴とする。
【００１２】
本考案に係る仕切り部材において、前記仕切り部材は、段ボール板で形成されていることを特徴とする。
【００１３】
本考案に係る仕切り板付き回収容器は、上述の仕切り部材と、重ね合わせが可能な使用済みのコップを回収する、開口部と底部とを有する回収容器と、を備えたことを特徴とする。
【考案の効果】
【００１４】
本考案によれば、それぞれが、複数の第１仕切り板のうち隣接する２つの第１仕切り板と、複数の第２仕切り板のうち隣接する２つの第２仕切り板とで四角形状の複数の案内孔が形成されるように、各第１スリットと各第２スリットとが互い嵌め込むことにより仕切り部材を得ることができる。このため、安価で、コンパクトに収容できる仕切り部材及びこれを備えた仕切り板付き回収容器を提供することができる。
【図面の簡単な説明】
【００１５】
【図１】本考案に係る仕切り部材及びこれを備えた仕切り板付き回収容器の斜視図である。
【図２】図１に示したＩＩ−ＩＩの断面図である。
【図３】図１に示した仕切り部材の分解斜視図である。
【図４】図１に示した仕切り部材のコップの積重状態を示す拡大斜視図である。
【考案を実施するための形態】
【００１６】
以下、図面を参照して本発明を実施するための形態について詳細に説明する。
図１は、本考案に係る仕切り部材及びこれを備えた仕切り板付き回収容器の斜視図である。図２は、図１に示したＩＩ−ＩＩの断面図である。図３は、図１に示した仕切り部材の分解斜視図である。図４は、図１に示した仕切り部材のコップの積重状態を示す拡大斜視図である。
【００１７】
（コップ）
図１に示すように、仕切り板付き回収容器２００に回収される使用済みのコップＣは、図４に示すように重ね合わせが可能な形状を有する。コップＣは、垂直方向ｚを回転軸とする円錐形状を有し、垂直方向ｚに垂直な方向ｘ及び方向ｙにおける最も大きい寸法は、上端外径Ｎである。
【００１８】
コップＣは、例えば、紙コップであることが好ましいが、プラスチックコップ又は他の材料で形成されていてもよい。
【００１９】
（仕切り板付き回収容器）
図２に示すように、仕切り板付き回収容器２００は、仕切り部材１と回収容器１００とを備える。回収容器１００は開口部１１０と底部１２０とを有する。
【００２０】
回収容器１００の開口部１１０が、底部１２０より大きい。このため、回収容器１００は、垂直方向ｚにおいて上側が下側より開いているラッパ形状である。
【００２１】
仕切り板付き回収容器２００は、更に、仕切り部材１と回収容器１００との間に、ポリエチレン製等の回収用袋を取り付けていてもよい。
【００２２】
（仕切り部材）
図１に示すように、仕切り部材１は、コップＣを回収する回収容器１００に備えられる部材である。
【００２３】
仕切り部材１は、複数の第１仕切り板２０と複数の第２仕切り板４０とを備える。仕切り部材１は、更に、蓋部６０を備える。
【００２４】
仕切り部材１は、段ボール板で形成されていることが好ましい。コップＣが紙コップの場合、例えば、回収容器１００に投入されたコップＣと共に仕切り部材１を可燃物として処理することができる。
【００２５】
また、仕切り部材１の材質は、段ボール板の他に、樹脂、金属、セラミックス等の材質を使用し、又はこれらの材料を組み合わせて用いてもよい。
【００２６】
（第１仕切り板及び第２仕切り板）
図３に示すように、各第１仕切り板２０には、回収容器１００の垂直方向ｚ上側から中央に向けて伸びる複数の第１スリット２２が形成されている。
【００２７】
各第２仕切り板４０には、回収容器１００の垂直方向ｚ下側から中央に向けて伸びる複数の第２スリット４２が形成されている。
【００２８】
第１仕切り板２０と第２仕切り板４０との垂直方向ｚの長さは、互いに略同じである。
【００２９】
第１スリット２２と第２スリット４２との垂直方向ｚの長さは、互いに略同じであり、第１仕切り板２０と第２仕切り板４０との垂直方向ｚの長さの半分である。
【００３０】
第１仕切り板２０の方向ｘの長さは、第２仕切り板４０の方向ｙの長さより長い。このため、仕切り部材１は、方向ｙの厚さが方向ｘの厚さより薄い、板状形状に近くなり、方向ｘを回転軸とする倒れが生じやすい。更に、回収容器１００は、上述したように、垂直方向ｚにおいて上側が下側より開いているラッパ形状である。したがって、回収容器１００に仕切り部材１を設置すると、仕切り部材１が回収容器１００内で傾くおそれがある。そこで、各第２仕切り板４０の方向ｙの両端に、回収容器１００の側面に当接して傾きを防止する支え板４４を形成しておくことが好ましい。
【００３１】
各第１スリット２２と各第２スリット４２とが互い嵌め込まれることにより、図１に示すように、複数の第１仕切り板２０と複数の第２仕切り板４０とで複数の案内孔５０が形成されている。
【００３２】
各案内孔５０は、垂直方向ｚに直交する平面における断面形状が四角形状の孔となるように、複数の第１仕切り板２０のうち隣接する２つの第１仕切り板２０と、複数の第２仕切り板４０のうち隣接する２つの第２仕切り板４０とで形成されている。
【００３３】
各第１スリット２２と各第２スリット４２とが互い嵌め込まれている部分は、垂直方向ｚを軸とするヒンジ部として機能する。このため、複数の第１仕切り板２０と、複数の第２仕切り板４０とを略平行になるように、仕切り部材１を折り畳むことができる。
【００３４】
また、仕切り部材１は、各第１スリット２２と各第２スリット４２とが互い嵌め込まれることにより、形成されているので、嵌め込みを外せば、第１仕切り板２０と第２仕切り板４０とからなる複数の板部材であるので、例えば、容易に積層して保管することができ、取り扱いを容易にすることができる。
【００３５】
（案内孔）
図４に示すように、複数の案内孔５０は、格子状に配列されている。案内孔５０における、垂直方向ｚに直交する平面（方向ｘ及び方向ｙに伸びる平面）の断面形状は、方向ｘに伸びる辺ａと方向ｙに伸びる辺ｂとで形成される矩形状である。
【００３６】
各案内孔５０は、複数の第１仕切り板２０のうち隣接する２つの第１仕切り板２０と、複数の第２仕切り板４０のうち隣接する２つの第２仕切り板４０とで四角形状に形成される。
【００３７】
図２に示すように、案内孔５０の両端部のうち、一方の端部５２は、回収容器１００の開口部１１０に開口し、他方の端部５４は、回収容器１００の底部１２０の近傍に開口している。
【００３８】
図４に示すように、案内孔５０は、コップＣを投入可能な大きさを有する。つまり、案内孔５０の内径（四角形の辺ａ及び辺ｂの長さ）が上端外径Ｎより大きいことが好ましく、案内孔５０の内径（四角形の辺ａ及び辺ｂの長さ）は、略垂直に落下するコップＣの搬送を妨げない程度に広く、かつ案内孔５０内でのコップＣの姿勢を一定に保つために、コップＣの上端外径Ｎに対して著しく大きくない寸法に設定されている。
【００３９】
具体的には、案内孔５０の内径（四角形の辺ａ及び辺ｂの長さ）は、投入するコップＣの上端外径Ｎの１．０５倍以上１．５０倍以下の範囲の寸法であることが好ましい。特に、コップＣの上端外径Ｎの１．１０倍以上１．３０倍以下の範囲にあるものが更に好ましい。
【００４０】
（蓋部）
図２に示すように、回収容器１００の開口部１１０が、底部１２０より大きく、回収容器１００は、垂直方向ｚにおいて上側が下側より開いているラッパ形状である。このため、案内孔５０の端部５２と開口部１１０との間に隙間ができ、その隙間に使用済みのコップＣが投入されるおそれがある。そこで、仕切り部材１は、更に、回収容器１００の開口部１１０に嵌め込まれる蓋部６０を備えることが好ましい。
【００４１】
蓋部６０は、板状の部材に、複数の案内孔５０の一方の端部５２に繋がる開口部６２を有する額縁形状である。
【００４２】
蓋部６０は、回収容器１００の開口部１１０に嵌め込まれると共に、支え板４４に載置される。このため、蓋部６０は、開口部１１０より垂直方向ｚ下側に移動しない。
【００４３】
（組み立て手順）
以上の仕切り部材１及び仕切り板付き回収容器２００は、以下のようにして組み立てられる。
【００４４】
図３に示すように、まず、複数の第１スリット２２が垂直方向ｚ上側になるように、複数の第１仕切り板２０を所定間隔（寸法ｂ）だけ空けて互いに平行になるように配置する。
【００４５】
次に、複数の第２スリット４２が垂直方向ｚ下側になるように、複数の第２仕切り板４０を所定間隔（寸法ａ）だけ空けて互いに平行になるように配置する。
【００４６】
次に、複数の第２仕切り板４０を複数の第１仕切り板２０の上側に持っていき、第１スリット２２と第２スリット４２とを互い嵌め込める。
【００４７】
これにより、図１に示すように、格子状に配列された複数の案内孔５０が形成される。
【００４８】
次に、組み立てられた仕切り部材１を回収容器１００の内側に設置する。仕切り部材１の垂直方向ｚ下側の端部は、回収容器１００の底部１２０と略同じ大きさである。仕切り部材１の垂直方向ｚ上側の端部は、垂直方向ｚにおいて、回収容器１００の開口部１１０と略同じ位置にある。
【００４９】
そして、蓋部６０を仕切り部材１の垂直方向ｚ上側に載置する。これにより、図１に示す仕切り板付き回収容器２００を得る。
【００５０】
このように、それぞれが、複数の第１仕切り板２０のうち隣接する２つの第１仕切り板２０と、複数の第２仕切り板４０のうち隣接する２つの第２仕切り板４０とで四角形状の複数の案内孔５０が形成されるように、各第１スリット２２と各第２スリット４２とが互い嵌め込むことにより仕切り部材１を得ることができる。このため、安価で、コンパクトに収容できる仕切り部材１及びこれを備えた仕切り板付き回収容器２００を得ることができる。
【００５１】
（コップの投入）
使用済みのコップＣを、端部５２から、案内孔５０内に投入する。このとき、コップＣの底面が下向きとなるように、換言するとコップＣの使用状態と同じ姿勢で投入する。
【００５２】
投入されたコップＣは、案内孔５０の内周面によって、投入時の姿勢を保ったまま落下する。案内孔５０の他方の端部５４を経て、回収容器１００の底部１２０まで搬送されたコップＣは、コップＣの底面を回収容器１００の底部１２０に接した状態で収容される。
【００５３】
更に、使用済みコップＣが投入されると、コップＣは、常に一定の姿勢で回収容器１００の下部側に到達する。これにより投入されたコップＣの外周部が、既に回収容器１００内に収容されたコップＣの内周部に接するように重なる。そのため複数のコップＣが投入されると、コップＣが積み重ねられた状態となる。
【００５４】
このようにコップＣが常に規則正しく積み重ねられた状態で収容されることにより、回収容器１００内に対するコップ一個あたりの占有容積は小さくなる。
【００５５】
したがって、回収容器１００におけるコップＣの許容回収量は、従来のものと比較して、飛躍的に増加する。このため、回収容器１００内に取り付けられた回収用袋の交換作業の回数を減らすことができる。
【００５６】
なお、コップＣの投入時の姿勢は、コップＣの底面を下向きにして投入するものに限定されるものではなく、コップＣ底面を上向き、すなわち、逆さにして端部５２から投入してもコップＣを積み重ねて回収することが可能となり、同様の効果が得られる。
【００５７】
しかし、投入する際のコップの向きは常に一定でなければならない。また使用者によっては、使用済みのコップＣを手等で握って、潰した状態で案内孔５０に投入することが考えられる。そこで、コップＣの投入方向を一定にさせ、また潰さないでコップＣの形態を保ったまま投入させるために、使用者に対して注意を促す文言及びイラスト等を仕切り板付き回収容器２００の近くに併記しておくことが好ましい。
【００５８】
このように、仕切り板付き回収容器２００では、回収容器１００内でコップＣが、規則正しく積重するので、回収容器１００内のコップＣの許容回収量を増やすことができる。また回収用袋を取り付けている場合には、回収用袋が嵩張ることもなく、輸送時及び焼却時等に便利になる。
【００５９】
また、一般に、飲み終わった使用済みのコップＣ内には、飲み物等の付着した残留物がある。これらは、時間の経過とともに、腐敗が進むことにより、回収容器１００に異臭が発生し、その周囲に拡散させる要因となっている。
【００６０】
しかし、図１に示すように、回収容器１００内で規則正しく、コップＣが積重するため、既に収容されたコップＣを、直上のコップＣによって蓋をすることができ、積重した下方のコップＣからの異臭が拡散しないようになる。これにより回収容器１００内、及び案内孔５０内の異臭が回収容器１００の周囲に拡散するのを抑制する効果が得られる。
【００６１】
以上、本考案について好適な実施形態を挙げて説明したが、本考案はこれらの実施形態に限定されるものではなく、本考案の要旨を逸脱しない範囲において、種々の改良及び設計の変更が可能である。
【符号の説明】
【００６２】
Ｃ  コップ
Ｎ  上端外径
１  仕切り部材
２０  第１仕切り板
２２  第１スリット
４０  第２仕切り板
４２  第２スリット
４４  支え板
５０  案内孔
５２  一方の端部
５４  他方の端部
６０  蓋部
６２  開口部
１００  回収容器
１１０  開口部
１２０  底部
２００  回収容器
【図１】
0003209052.tif 000003
【図２】
0003209052.tif 000004
【図３】
0003209052.tif 000005
【図４】
0003209052.tif 000006